(57)【特許請求の範囲】
【請求項１】
シリンダケースにロータを回転自在に挿入してなり、解錠キーにより操作されるタンブラのロータ内における位置によりロータのシリンダケースに対する相対回転を許容、または禁止するシリンダ錠であって、
前記ロータには、シリンダケースの頭部支承壁に支承され、タンブラを収容する一般軸部と一体成形されて該一般軸部の後方への脱離を防止する膨隆頭部が設けられるとともに、タンブラを長手方向に直線状に並べたタンブラ列の２列が、同一タンブラ列内の複数のタンブラの移動方向により形成される面からなる移動面を回転中心を含む同一平面内に属して回転中心に向かって配列され、かつ、前記移動面を共有しない他のタンブラ列も同様に回転中心に向かって配列され、
前記膨隆頭部には、頭部支障壁に支承され、一般軸部との境界の径方向の全長に渡って一般軸部後端に向かうに従って連続状に漸次縮径されるテーパ部が形成され、
かつ、該テーパ部の前記移動面を共有しない側のタンブラ列の列上の個所を薄肉にしてロータの長手方向への破断を助長する破断ガイド部が設けられるシリンダ錠。
【発明の詳細な説明】
【０００１】
【発明の属する技術分野】
本発明は、シリンダ錠に関するものである。
【０００２】
【従来の技術】
一般にシリンダ錠は、シリンダケース内に回転自在に挿入されたロータへの回転操作を該ロータ内に装着されるタンブラにより規制するように構成されており、シリンダケースからのロータの前方への脱離は、例えば、シリンダケースの前面をカバーによって覆うことにより、後方への脱離は、ロータの先端に形成された膨隆頭部をシリンダケース側に設けた頭部支承壁に当接させて防止される。
【０００３】
ところで、かかるシリンダ錠を自動販売機等、金銭を扱い、屋外に設置される装置に使用する場合には、ロータ中心にドリル等で穴を明けてタンブラをロータから脱落させてシリンダケースに対して回転自在とするような不正破壊操作が行われる可能性も高くなるために、ロータを耐切削性の高い材料で形成することが求められる。
【０００４】
しかし、ロータに例えば焼入れ材を使用する等して耐切削性を高めると、同時に脆性も高くなるために、撃力に対する耐性は一般に低くなる結果、例えばロータ先端をタガネ等により打撃されると、膨隆頭部が破壊、脱落してロータ全体がシリンダケースから押し出される破壊モードの発生の可能性が高くなる。
【０００５】
【発明が解決しようとする課題】
本発明は、以上の問題を解消すべくなされたものであって、不正破壊操作に対する耐性を高めたシリンダ錠の提供を目的とする。
【０００６】
【課題を解決するための手段】
本発明によれば上記目的は、
シリンダケース１にロータ２を回転自在に挿入してなり、解錠キーにより操作されるタンブラ３のロータ２内における位置によりロータ２のシリンダケース１に対する相対回転を許容、または禁止するシリンダ錠であって、
前記ロータ２には、シリンダケース１の頭部支承壁４に支承され、タンブラ３を収容する一般軸部６と一体成形されて該一般軸部６の後方への脱離を防止する膨隆頭部５が設けられるとともに、タンブラ３を長手方向に直線状に並べたタンブラ列９の２列が、同一タンブラ列９内の複数のタンブラ３、３・・の移動方向により形成される面からなる移動面を回転中心（Ｃ２）を含む同一平面内に属して回転中心（Ｃ２）に向かって配列され、かつ、前記移動面を共有しない他のタンブラ列９も同様に回転中心（Ｃ２）に向かって配列され、
前記膨隆頭部５には、頭部支障壁４に支承され、一般軸部６との境界の径方向の全長に渡って一般軸部６後端に向かうに従って連続状に漸次縮径されるテーパ部７が形成され、
かつ、該テーパ部７の前記移動面を共有しない側のタンブラ列９の列上の個所を薄肉にしてロータ２の長手方向への破断を助長する破断ガイド部８が設けられるシリンダ錠を提供することにより達成される。
【０００７】
シリンダケース１内に挿入されるロータ２は一般軸部６の先端部に径方向に膨隆する膨隆頭部５を備えており、該膨隆頭部５をシリンダケース１側の頭部支承壁４に当接させることにより後方への抜去が防止される。上記膨隆頭部５と一般軸部６との境界には、後方に行くに従って漸次縮径するテーパ部７が形成されており、ロータ２に対して加えられ撃力による応力集中の発生が防止される。
【０００８】
この結果、ロータ２の材料を不正切削加工に対する耐力向上を目的として硬質材料により形成しても、応力集中による膨隆頭部５の破損、脱落が防止されるために、切削加工等による不正操作に加え、タガネ等を使用した打撃による不正操作に対する耐性も向上させることができる。
【０００９】
テーパ部７は、全周に渡って形成することも、あるいはリブ状に所定間隔をおいて形成することも可能であるが、リブ状に形成し、さらに、シリンダケース１をロータ２より高度の低い材料で形成した場合には、打撃によりテーパ部７がシリンダケース１の頭部支承面に食い込むために、より耐性が向上する。
【００１０】
また、ロータ２に破断ガイド部８を形成した場合には、撃力の付加によりロータ２は縦方向に分断される。分断後、両ロータ片に対して均等に押圧力を与えることは一般に不可能であり、かつ、大きな押圧力が加えられた側のロータ片は上記テーパ部７の作用によって他のロータ片側に変位しながら後退して楔状に他のロータ片とシリンダケース１との間隙を埋めるために、以後、各ロータ片を後方に離脱させることが困難となり、打撃による不正操作に対する耐性がより向上する。
【００１１】
この場合、ロータ２に開設されるタンブラ装着孔２ａの並びにより形成されるタンブラ列９上に破断外部を配置すると、少ない撃力により容易にロータ２が割れるために、上記効果を発揮しやすくなる。
【００１２】
【発明の実施の形態】
図１に示すように、シリンダ錠は、長手通しにロータ挿入孔１ａを備えたシリンダケース１と、シリンダケース１のロータ挿入孔１ａに回転自在に挿入されるロータ２とを備える。ロータ２は、例えば、回転中心（Ｃ２）に沿ってドリル等で穴を明けられ、後述するタンブラ３による回転境界の閉塞状態を破壊されないように、例えば、焼入れ鋼等の切削が困難な材料により形成される。
【００１３】
ロータ２の一般軸部６には、回転中心（Ｃ２）に直交するピッチ面（Ｓ）上で回転中心（Ｃ２）に向かうタンブラ装着孔２ａ、２ａ・・が穿孔され、シリンダケース１側には、図１に示す施錠状態において各タンブラ装着孔２ａに対峙するケース側タンブラ孔１ｂ、１ｂ・・が形成される。
【００１４】
タンブラ３は、ケース側タンブラ３Ａとロータ側タンブラ３Ｂとを分離可能に積層して形成され、ケース側タンブラ３Ａはケース側タンブラ孔１ｂ内に収容される圧縮スプリング１０により回転中心（Ｃ２）側に付勢される。この施錠状態からロータ２中心に形成されるキー挿入溝２ｂに図外の解錠キーを挿入すると、ロータ側タンブラ３Ｂは圧縮スプリング１０の反力に抗してシリンダケース１側に排斥され、ケース側タンブラ３Ａとロータ側タンブラ３Ｂとの境界がロータ２とシリンダケース１との回転境界に位置し、ロータ２の回転が可能になる。この状態が解錠状態に対応する。
【００１５】
この実施の形態において、タンブラ３は、図２に示すように、回転中心に対して３方向から向かうように配列され、各方向は回転中心方向に直線状に並べられてタンブラ列９を構成する。３列のタンブラ列９のうち２列は、同一タンブラ列９内の複数のタンブラ３の移動方向により形成される面（移動面）が、回転中心（Ｃ２）を含む同一平面内に属するように配置される。
【００１６】
上記ロータ２が後方に押し込まれた際のロータ２のシリンダケース１から脱離を防止するために、ロータ２の前端には一般軸部６を拡径した膨隆頭部５が形成され、シリンダケース１には、上記膨隆頭部５の後方面を支承する頭部支承壁４が形成される。また、膨隆頭部５と一般軸部６との境界には、後方に行くに従って漸次径方向寸法が減少するテーパ部７が全周に形成され、シリンダケース１側の頭部支承壁４はこのテーパ部７に当接する錐面により形成される。
【００１７】
さらに、図２、３に示すように、上記ロータ２にはテーパ部７の適宜個所を薄肉にして破断ガイド部８が設けられる。破断ガイド部８は、上述したように、移動面を共有しない側のタンブラ列９の列上に配置される。
【００１８】
したがってこの実施の形態において、ロータ２の頭部に撃力が加えられても、膨隆頭部５と一般軸部６との境界が錐面により形成されているために、応力集中が防止される。この結果、膨隆頭部５が図１において鎖線１１で示すように、境界部から脱落し、ロータ２が後方に脱離することが完全に防止される。また、撃力がさらに大きくなったり、あるいはキー挿入溝２ｂ先端にタガネ等を挿入してロータ２を引き出そうとした場合には、回転中心（Ｃ２）と破断ガイド部８を含む面は、タンブラ列９上のタンブラ装着孔２ａの存在と相俟って他の面に比して断面積が小さなために、ロータ２は図１における紙面と直交する面を破断面として左右に破壊、分離される。ロータ２の分断により、破断面上のタンブラ３は脱落して該タンブラ３による回転境界面の閉塞は困難になるが、分割後のロータ片には各々移動面を共有するタンブラ列９上のタンブラ３が残留するために、回転境界面は依然閉塞状態が維持され、ロータ３への回転操作は行うことができない。
【００１９】
分離後において、各ロータ２破断片に加えられた押圧力（図１における矢印Ｆ）は、テーパ部７により反対片側への移動力（Ｆｃ）を発生させるために、押圧力が加えられた方のロータ２破断片は反対片とシリンダケース１のロータ挿入孔１ａとの間に楔状にはまり込み、以後、各ロータ２破断片は後方に脱離することがない。
【００２０】
なお、以上においては、シリンダケース１は、全体として一体として形成される場合を示したが、支承段部が形成される部位を別体で形成することも可能である。この場合、シリンダケース１のロータ挿入孔１ａ形成部と、支承段部形成部、すなわち、シリンダケース１頭部とは、例えばハウジング等、シリンダケース１を保持する部材を介して所定位置関係に保持される。
【００２１】
【発明の効果】
以上の説明から明らかなように、本発明によれば、不正破壊操作に対する耐性を高めることができる。
【図面の簡単な説明】
【図１】本発明を示す断面図である。
【図２】本発明を示す図で、（ａ）は図１の２Ａ方向矢視図、（ｂ）は図１の２Ｂ-２Ｂ線断面図である。
【図３】ロータを示す平面図である。
【符号の説明】
１        シリンダケース
２        ロータ
３        タンブラ
４        頭部支承壁
５        膨隆頭部
６        一般軸部
７        テーパ部
８        破断ガイド部
９        タンブラ列
【図１】
0004149186.tif 000002
【図２】
0004149186.tif 000003
【図３】
0004149186.tif 000004